(57)【要約】【課題】ダイテーブルの成形具に向けて延びる供給路の損傷を防止するとともに、ダイテーブル内において供給路の効率的なレイアウトが可能になる缶成形装置を提供する。【解決手段】缶体を着脱可能に保持する複数の缶体保持部を一面側に円環状に配列してなり、中心軸回りで回動可能なターンテーブルと、該ターンテーブルに対向するように配され、缶体を成形する成形具を一面側に円環状に配列してなり、前記中心軸の軸線方向に沿って往復動可能なダイテーブルと、前記ダイテーブルを前記中心軸に沿って往復動させる往復動機構を備えた本体部と、前記本体部から前記ダイテーブルの前記成形具に向けて延びる供給路と、を備えた缶成形装置であって、前記ダイテーブルには、前記供給路を収納する収納部を形成したことを特徴とする。【選択図】図３
2018089684.tif 000002
【特許請求の範囲】
【請求項１】
缶体を着脱可能に保持する複数の缶体保持部を一面側に円環状に配列してなり、中心軸回りで回動可能なターンテーブルと、該ターンテーブルに対向するように配され、缶体を成形する成形具を一面側に円環状に配列してなり、前記中心軸の軸線方向に沿って往復動可能なダイテーブルと、前記ダイテーブルを前記中心軸に沿って往復動させる往復動機構を備えた本体部と、前記本体部から前記ダイテーブルの前記成形具に向けて延びる供給路と、を備えた缶成形装置であって、
前記ダイテーブルには、前記供給路を収納する収納部を形成したことを特徴とする缶成形装置。
【請求項２】
前記供給路は、前記成形具に向けて、圧縮空気を供給するエアーホース、電力を供給する電線、加工油を供給するオイルホースのうち、少なくともいずれか１つであることを特徴とする請求項１記載の缶成形装置。
【請求項３】
前記供給路は、前記本体部と前記ダイテーブルとの間に架設され、前記ダイテーブルの往復動に追従して揺動可能に形成されたケーブルキャリアに収容されることを特徴とする請求項１または２記載の缶成形装置。
【請求項４】
前記収納部は、前記ターンテーブル側から見た時に、多角形を成すことを特徴とする請求項１記載の缶成形装置。
【請求項５】
前記収納部は、前記供給路の経路上に配される中継ターミナルを備えたことを特徴とする請求項１ないし３いずれか一項記載の缶成形装置。
【請求項６】
１つの前記供給路は、前記ケーブルキャリアの前記ダイテーブル側末端より先において、複数の前記成形具に向けて分岐していることを特徴とする請求項３記載の缶成形装置。
【請求項７】
前記ケーブルキャリアは、その延長方向に沿って内部が複数の領域に区画されていることを特徴とする請求項３または６記載の缶成形装置。
【請求項８】
前記中継ターミナルは前記収納部の外周部に２つ形成され、
前記ダイテーブルの中心を通る鉛直線によって、前記ダイテーブルを左右の２つの領域に分けた時に、一方の前記中継ターミナルは前記ダイテーブルの左領域に配された前記成形具に向けてそれぞれ延びる前記供給路に接続され、他方の前記中継ターミナルは前記ダイテーブルの右領域に配された前記成形具に向けてそれぞれ延びる前記供給路に接続されることを特徴とする請求項５記載の缶成形装置。
【発明の詳細な説明】
【技術分野】
【０００１】
この発明は、缶成形装置に関し、詳しくは、ダイテーブルに配された成形具に向けて、圧縮空気、油圧、電力および加工油をそれぞれ供給するための構成に関するものである。
【背景技術】
【０００２】
飲料等の内容物が充填、密封される缶体として、缶胴（ウォール）と缶底（ボトム）を有する有底筒状の缶体と、該缶体の開口端部にネジキャップが螺着されたボトル缶が知られている。こうしたボトル缶の缶体は、上部がくびれるように斜めに絞られ、開口部側にはネジキャップを螺着するためのネジ溝が設けられている。
【０００３】
このようなボトル缶を製造する際には、例えば、アルミニウムやアルミニウム合金製の金属板をカップ形状に絞り加工（Ｄｒａｗｉｎｇ）したもの（缶基材）を、缶成形装置を用いて再絞りと側壁を数段階のしごき加工（Ｉｒｏｎｉｎｇ）で引き伸ばす。こうして得られた缶体の高さをトリミング加工により整えた後、缶体の周面にプリントを行う。その後、缶体の開口端側の絞り加工を行うネッキング工程を経て、ボトル缶が製造される。
【０００４】
こうしたボトル缶の製造において、ネッキング工程に用いられる缶成形装置であるボトルネッカーは、缶体の底部側を支持する缶体保持部を複数、円環状に配列させたターンテーブルを回転させる。そして、それぞれの缶体保持部に対向するように、ダイテーブルに円環状に複数配列されたネッキング金型を、缶体保持部に保持された缶体の開口端側に順番に押し付けて、段階的に絞り加工を行うものである（例えば、特許文献１を参照）。
【０００５】
このようなボトルネッカーは、ネッキング金型を缶体の開口端側に押し付けて絞り加工を行う際に、缶体の開口端側を内側から支持する中子を介して、缶体の内部に圧縮空気を送り込んでいる。これによって、缶体内部の内圧が高められ、缶体加工時の衝撃による缶体の潰れなどの変形を防止している。
【０００６】
また、缶体の開口端側の絞り加工を行う際に、缶体が塑性変形によって高温になることを防止するとともに、円滑な塑性変形を生じさせるように、加工油が供給されている。
また、缶体の開口端側にネジキャップを螺合させるネジ溝を形成する回転加工ツールの駆動モータに向けて、電力が供給されている。
更に、ダイテーブルを支持するロッドに対してダイテーブルを固定する油圧ロック機構に向けて、油圧が供給されている。
【０００７】
従来、これら圧縮空気、加工油、電力、および油圧は、ダイテーブル側から延びる供給路を介して、ネッキング金型、加工油供給部、および油圧ロック機構に向けてそれぞれ供給されていた。
【先行技術文献】
【特許文献】
【０００８】
【特許文献１】特開２００８−１２６２６６号公報
【発明の概要】
【発明が解決しようとする課題】
【０００９】
しかしながら、従来のボトルネッカーでは、上述した供給路がダイテーブル側の外部からダイテーブルに向けてそれぞれ直接接続されているために、ダイテーブルにおいてこれら供給路を構成するエアーホース、電線、オイルホースなどが交錯して供給路のレイアウトが複雑になり、供給路のメンテナンスが煩雑になるという課題があった。
また、前後動するダイテーブルにこうした供給路を外部から直接接続すると、供給路に大きな振動が直接伝わって接続が外れたり断線しやすくなるといった懸念もあった。
【００１０】
この発明は、前述した事情に鑑みてなされたものであって、ダイテーブル内において供給路の効率的なレイアウトを可能にし、かつダイテーブルの成形具に向けて延びる供給路の断線を防止することが可能な缶成形装置を提供することを目的とする。
【課題を解決するための手段】
【００１１】
上記課題を解決するために、本発明の缶成形装置は、缶体を着脱可能に保持する複数の缶体保持部を一面側に円環状に配列してなり、中心軸回りで回動可能なターンテーブルと、該ターンテーブルに対向するように配され、缶体を成形する成形具を一面側に円環状に配列してなり、前記中心軸の軸線方向に沿って往復動可能なダイテーブルと、前記ダイテーブルを前記中心軸に沿って往復動させる往復動機構を備えた本体部と、前記本体部から前記ダイテーブルの前記成形具に向けて延びる供給路と、を備えた缶成形装置であって、前記ダイテーブルには、前記供給路を収納する収納部を形成したことを特徴とする。
【００１２】
本発明の缶成形装置によれば、ダイテーブルに供給路を収納する供給路収納部を設けることよって、ダイテーブル側で分岐する複数の供給路を整然と引き回すことができ、複数の供給路のメンテナンスを容易にすることができる。
【００１３】
また、ダイテーブル側の複数の供給路を供給路収納部に収納することにより、ダイテーブルの往復動による供給路どうしの擦れや脱落を防止し、供給路の損耗による不具合の発生を確実に防止することができる。
【００１４】
前記供給路は、前記成形具に向けて、圧縮空気を供給するエアーホース、電力を供給する電線、加工油を供給するオイルホースのうち、少なくともいずれか１つであることを特徴とする。
【００１５】
前記供給路は、前記本体部と前記ダイテーブルとの間に架設され、前記ダイテーブルの往復動に追従して揺動可能に形成されたケーブルキャリアに収容されることを特徴とする。
これによって、ケーブルキャリアの他端側はダイテーブルとともに往復動するため、ケーブルキャリアの他端側からダイテーブルの収納部に向けて延びる供給路が、ダイテーブルの往復動によって大きく揺動し、ダイテーブルとの間で擦れによる摩耗や破損を引き起こすことを防止することが可能になる。
【００１６】
前記収納部は、前記ターンテーブル側から見た時に、多角形を成すことを特徴とする。
【００１７】
前記収納部は、前記供給路の経路上に配される中継ターミナルを備えたことを特徴とする。
【００１８】
１つの前記供給路は、前記ケーブルキャリアの前記ダイテーブル側末端より先において、複数の前記成形具に向けて分岐していることを特徴とする。
【００１９】
前記ケーブルキャリアは、その延長方向に沿って内部が複数の領域に区画されていることを特徴とする。
【００２０】
前記中継ターミナルは前記収納部の外周部に２つ形成され、前記ダイテーブルの中心を通る鉛直線によって、前記ダイテーブルを左右の２つの領域に分けた時に、一方の前記中継ターミナルは前記ダイテーブルの左領域に配された前記成形具に向けてそれぞれ延びる前記供給路に接続され、他方の前記中継ターミナルは前記ダイテーブルの右領域に配された前記成形具に向けてそれぞれ延びる前記供給路に接続されることを特徴とする。
【発明の効果】
【００２１】
本発明によれば、ダイテーブルの成形具に向けて延びる供給路の損傷を防止するとともに、ダイテーブル内において供給路の効率的なレイアウトが可能になる缶成形装置を提供することができる。
【図面の簡単な説明】
【００２２】
【図１】ボトル缶の製造工程を段階的に示したフローチャートである。
【図２】各工程における缶体形状の変化を示す模式図である。
【図３】本発明の缶成形装置（ネッキング加工装置）を示す外観斜視図である。
【図４】本発明の缶成形装置を示す側面図である。
【図５】ダイテーブルを示す要部拡大平面図である。
【図６】供給路収納部（収納部）とその周辺部分を示す説明図である。
【発明を実施するための形態】
【００２３】
以下、図面を参照して、本発明の一実施形態の缶成形装置について説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００２４】
まず最初に、缶体の一例であるボトル缶の製造工程の一連の流れを説明する。
図１は、ボトル缶の製造工程の一例を段階的に示したフローチャートである。図２は、各工程における缶体形状の変化を示す模式図である。
ボトル缶は、板材打ち抜き工程Ｓ１、カッピング工程（絞り工程）Ｓ２、ＤＩ工程（絞りしごき工程）Ｓ３、トリミング工程Ｓ４、印刷・塗装（缶外面）工程Ｓ５、塗装（缶内面）工程Ｓ６、ネッキング工程Ｓ７、ネジ成形工程Ｓ８をこの順に経て、製缶される。
【００２５】
板材打ち抜き工程Ｓ１では、例えば、Ａｌ合金材料からなる圧延材を打ち抜いて、図２（ａ）に示されるような、円板状の板材（ブランク）Ｗを成形する（打ち抜き加工する）。カッピング工程（絞り工程）Ｓ２では、図２（ｂ）に示されるように、板材Ｗをカッピングプレスによって絞り加工（カッピング加工）して、カップ状体（缶基材）Ｗ１に成形する。ＤＩ工程（絞りしごき工程）Ｓ３では、ＤＩ加工装置によって、図２（ｃ）に示されるように、カップ状体Ｗ１にＤＩ加工（再絞りしごき加工）を施して、缶胴１１と缶底１２とが一体の有底筒状の缶体Ｗ２を成形する。
【００２６】
トリミング工程Ｓ４では、缶体Ｗ２の開口端部１１ａの高さが不均一であるため、トリミング装置を用いて開口端部１１ａのトリミング加工を行ない、図２（ｄ）に示すような、缶胴１１の開口端部１１ａの高さが全周にわたって均等に揃えられた、トリミング加工後の缶体Ｗ３を成形する。
【００２７】
この後、缶体Ｗ３を洗浄して潤滑油等を除去した後に、表面処理を施して乾燥し、次いで、図２（ｅ）に示すように、缶体Ｗ３の外面側１１ｂの印刷および塗装を行い（印刷・塗装（缶外面）工程Ｓ５）、その後、缶体Ｗ３の内面側１１ｃの塗装を行う（塗装（缶内面）工程Ｓ６）。
【００２８】
次に、ダイ加工ツール（ネック形成金型）を用いて、図２（ｆ）に示すように、缶胴１１の開口端部１１ａ側に、滑らかに傾斜するようにくびれた形状をなすネック部１３を成形する（ネッキング工程Ｓ７）。更に、ネック部１３の開口端部に、回転加工ツール（成形具）を用いて、キャップの形状に合わせたネジ溝１４（図２（ｇ）を参照）がネック部１３に設けられる（ネジ成形工程Ｓ８）。
本実施形態である缶成形装置は、こうしたネッキング工程Ｓ７やネジ成形工程Ｓ８で用いられる缶体のネッキング加工装置である。このようなネッキング加工装置によって、缶胴１１の開口端部１１ａ側に、くびれたネック部１３およびネジ溝１４を有する缶体（ボトル缶）１０が製造される（図２（ｇ）を参照）。
【００２９】
以上のような各工程を経て得られた缶体（ボトル缶）１０は、その後、内部に飲料等の内容物が充填され、更にネジ溝１４と嵌合してネック部１３の開口を覆うキャップが取り付けられ、缶体１０の内部が密封される。
【００３０】
図３は、実施形態の缶成形装置（ネッキング加工装置）を示す外観斜視図である。また、図４は、缶成形装置を一方の側面から見た時の側面図である。
缶成形装置（ネッキング加工装置）２０は、例えば、前述したネッキング工程Ｓ７やネジ成形工程Ｓ８に用いられ、本体部２１と、この本体部２１の中心軸ＴＡ回りで回動可能に設けられたターンテーブル２３と、このターンテーブル２３に対向するように配されたダイテーブル２４とを備えている。
【００３１】
本体部２１は、ターンテーブル２３やダイテーブル２４を支持する。この本体部２１には、ターンテーブル２３を中心軸ＴＡ回りで回動させる回動機構（図示略）や、ダイテーブル２４を中心軸ＴＡの軸線に沿って所定幅で往復動させる往復動機構（図示略）が設けられている。
【００３２】
ターンテーブル２３は、例えばリング状の平板を備えたテーブル本体（基材）２３Ａの一面側２３ａに、缶体のボトム部分を保持可能な複数の缶体保持部３１が円環状に配列されたものからなる。このターンテーブル２３は、本体部２１に設けられたインデックス（図示略）によって回動可能に支持され、中心軸ＴＡ周りを間欠的に回動する。本実施形態では、ターンテーブル２３は、図３中の反時計回り方向Ｑに回動する。
【００３３】
ダイテーブル２４は、例えばリング状を成すテーブル本体２４Ａと、このテーブル本体２４Ａのうち、ターンテーブル２３に対向する一面側２４ａに、円環状に複数配列された成形具４０と、テーブル本体２４Ａの中心寄りに形成された供給路収納部（収納部）２４Ｂと、を備えている。
【００３４】
ダイテーブル２４は、本体部２１に設けられた往復動機構（図示略）によって、テーブル軸ＴＡに沿ってターンテーブル２３に対して、所定の幅で接近移動と離間移動とを繰り返す。そして、この接近移動と離間移動からなる１ストローク（往復動）完了後の、次の１ストローク開始前に、ターンテーブル２３が、周方向に沿って所定量、例えば対向するダイテーブル２４の成形具１つ分だけ、反時計回り方向Ｑに回動する。
【００３５】
そして、ダイテーブル２４とターンテーブル２３とが接近離間する１ストローク毎に、缶体保持部３１によってボトム部分が保持された缶体Ｗ３の開口端側が成形具４０によって形状加工される。
【００３６】
図５は、ダイテーブルを示す要部拡大平面図である。
本実施形態において、ダイテーブル２４のテーブル本体２４Ａは、円板状又は円形リング状を成している。詳しくは、ダイテーブル２４は、本体部２１の連結軸２９（図３，４参照）に連結される内リング体４１と、内リング体４１に対してテーブル径方向の外側に同軸に配置される外リング体４２と、これらのリング体４１，４２どうしをテーブル径方向に接続するとともに、テーブル周方向に互いに間隔をあけて配置される複数のリブ４３と、を備えている。
【００３７】
ダイテーブル２４の外リング体４２には、成形具４０が周方向に沿って複数配設される。こうした成形具４０をダイテーブル２４に取り付けるために、外リング体４２には、取付孔４５がテーブル周方向に沿って複数設けられている。複数の成形具４０は、缶体への加工順にこれらの取付孔４５に取り付け可能とされている。
【００３８】
複数の成形具４０には、ダイ加工ツール（ネック形成金型）４８と、回転加工ツール４９と、油付けツール４６とが含まれている。本実施形態では、ダイテーブル２４の複数の取付孔４５に、複数のダイ加工ツール４８と、複数の回転加工ツール４９とが、缶体への加工順に着脱可能に配設されている。また、任意の位置に油付けツール４６が配設されている。なお、複数の取付孔４５のうち、いくつかは成形具４０が取り付けられない空きスペースとされていてもよい。
【００３９】
ダイ加工ツール４８は、缶に対して缶軸方向（中心軸ＴＡに平行な方向）に移動し、缶体の開口端側を縮径してネック部１３を形成する絞り加工や、缶体の周壁を拡径する拡径加工等のダイ加工を施すものである。１つのダイ加工ツール４８によって、１種類のダイ加工が缶に対して施される。
このダイ加工ツール４８には、缶体加工時の潰れを防止するために、缶体内の内圧を高める圧縮空気が、後述する供給路５０を構成するエアホース５１を介して供給される構成となっている。
【００４０】
回転加工ツール４９は、缶に対して缶軸回りに移動し、この缶軸回りの回転動作により缶の周壁に、トリミング加工、ねじ成形加工、カール加工、スロットル（カールかしめ）加工等の回転加工を施すものである。１つの回転加工ツール４９によって、回転加工が缶体に対して施される。
【００４１】
回転加工ツール４９は、缶に回転加工を施す成形部と、缶体を回転自在に支持するツールスピンドルと、を有している。また、特に図示していないが、ツールスピンドル（のスピンドル軸部）は、ベルト等の伝達部材を介して、駆動モータに連結されている。駆動モータは、ダイテーブル２４に配設されている。ツールスピンドル（のスピンドル軸部）は、駆動モータから伝達される回転駆動力によって回転させられ、この回転力を利用して成形部は、缶体に対して回転加工を施す。
この回転加工ツール４９には、駆動モータを動作させる電力が、後述する供給路５０を構成する電線５２を介して供給される。
【００４２】
なお、図５に示される複数の回転加工ツール４９のうち、符号４９Ａはトリミング加工ツールであり、符号４９Ｂはカール加工ツールであり、符号４９Ｃはスロットル加工ツールである。
【００４３】
油付けツール４６は、缶体の成形部分、例えば開口端側に加工油を塗布するツールであり、オイルパッド（図示略）やこのオイルパッドを回転させるパッド回転装置（図示略）を備えている。こうした油付けツール４６は、ダイ加工ツール４８や回転加工ツール４９の間の任意の位置に配置され、加工中の缶体の成形部位に加工油を供給する。
【００４４】
この油付けツール４６には、オイルパッドに含浸させるオイルが、後述する供給路５０を構成するオイルホース５３を介して供給される。また、油付けツール４６には、パッド回転装置を動作させる圧縮空気が、後述する供給路５０を構成するエアホース５１を介して供給される。
【００４５】
再び図３、図４を参照して、本体部２１とダイテーブル２４との間には、ケーブルキャリア６１，６１が架設されている。ケーブルキャリア６１，６１は、例えば、耐油性樹脂からなる屈曲自在な四角筒状の部材である。ケーブルキャリア６１，６１は、それぞれの一端側が本体側トレイ６２，６２に固定され、それぞれの他端側がダイテーブル側トレイ６３，６３に固定されている。
【００４６】
本体側トレイ６２，６２は本体部２１に固定されている。また、ダイテーブル側トレイ６３，６３は、ダイテーブル２４に固定され、中心軸ＴＡに沿ってダイテーブル２４とともに前後動する。ケーブルキャリア６１，６１は、ダイテーブル２４側において、下方に１８０°湾曲するように設けられている。こうした構成によって、ケーブルキャリア６１，６１は、ダイテーブル２４に固定されたダイテーブル側トレイ６３，６３の往復動に合わせて屈曲位置が変化し、ダイテーブル２４の往復動に追従する。
【００４７】
ケーブルキャリア６１，６１の内部には、成形具４０に対して圧縮空気、電力、加工油などをそれぞれ供給するための供給路５０を構成するエアホース５１，電線５２、オイルホース５３等が収容される。
【００４８】
エアホース５１の一端側はコンプレッサなどの圧縮空気供給源５４に接続されている。
また、電線５２の一端側は電源５５に接続されている。なお、電源５５は、複数の電圧の電力を供給し、電線５２は、それぞれの電圧に対応して形成されている。オイルホース５３の一端側は、ポンプやオイルタンクなどから構成されている加工油供給源５６に接続されている。
【００４９】
図６は、供給路収納部（収納部）とその周辺部分を示す説明図である。なお、図６は、細部を明瞭にするためにダイテーブルの鉛直方向の上半分を示している。
ケーブルキャリア６１，６１は、その内部が区画部材６１ａによって、延長方向に沿った複数の区画、本実施形態では例えば１６区画に分けられている。それぞれの区画には、供給路５０を構成するエアホース５１、電線５２、オイルホース５３、あるいは、ダイテーブル２４と連結軸２９とをロックするための油圧を加える油圧ホース（図示略）などが収容される。なお、全ての区画に供給路５０が収容される必要は無く、任意の区画に供給路５０が収容されればよい。
【００５０】
供給路収納部（収納部）２４Ｂは、ダイテーブル２４の内リング体４１に固定される。
なお、供給路収納部２４Ｂは内リング体４１に固定される以外にも、外リング体４２に固定される構成であってもよい。
【００５１】
本実施形態では、供給路収納部２４Ｂは、ターンテーブル２３側から見た時に八角形に形成されている。こうした供給路収納部２４Ｂは、中空の内部に、供給路５０が複数収納可能とされる。また、供給路収納部２４Ｂの内部には、供給路５０を係止して揺動を防ぐクリップなどの係止具を備えていることも好ましい。
なお、供給路収納部２４Ｂは、八角形以外にも、四角形、六角形、十角形など、多角形に形成されていればよい。
【００５２】
こうした八角形の供給路収納部２４Ｂのうちの２つの外側面（外周部）には、それぞれエアホース５１どうしを接続する中継ターミナル６６ａ，６６ｂが形成されている。具体的には、中継ターミナル６６ａ，６６ｂは、ケーブルキャリア６１，６１を通るエアホース５１と、供給路収納部２４Ｂの内部に収容され、それぞれのダイ加工ツール４８や油付けツール４６に向けて分岐して延びるエアホース５１とを接続する。
【００５３】
例えば、本実施形態では、ダイテーブル２４の中心を通る仮想鉛直線Ｐによってダイテーブル２４を左右の２つの領域Ｅ１，Ｅ２に分けた時に、一方の中継ターミナル６６ａはダイテーブル２４の左領域Ｅ１に配された成形具４０（ダイ加工ツール４８、油付けツール４６）に向けてそれぞれ延びるエアホース５１に接続される。また、他方の中継ターミナル６６ｂはダイテーブル２４の右領域Ｅ２に配された成形具４０に向けてそれぞれ延びるエアホース５１に接続される。
【００５４】
このような構成によって、本体部２１側に配された圧縮空気供給源５４から供給された圧縮空気は、ケーブルキャリア６１，６１内を通るエアホース５１を介してダイテーブル２４側に誘導され、供給路収納部２４Ｂに形成された中継ターミナル６６ａ，６６ｂに入力される。そして、圧縮空気は、この中継ターミナル６６ａ，６６ｂから供給路収納部２４Ｂの内部に収容され、複数の成形具４０（ダイ加工ツール４８、油付けツール４６）に向けて分岐して接続されたエアホース５１を介して、個々の成形具４０に供給される。油付けツール４６に供給された圧縮空気は、オイルパッドを回転させるパッド回転装置（図示略）に入力される。  
【００５５】
ケーブルキャリア６１，６１の内部に配された区画部材６１ａによって区画された領域の１つないし複数には、加工油供給源５６から延びるオイルホース５３が収容され、ダイテーブル２４側に誘導される。
【００５６】
八角形の供給路収納部２４Ｂのうちの１つの外側面（外周部）には、オイルホース５３どうしを接続する中継ターミナル６７が形成されている。具体的には、中継ターミナル６７は、ケーブルキャリア６１を通るオイルホース５３と、供給路収納部２４Ｂの内部に収容され、それぞれの油付けツール４６（図５参照）に向けて延びるオイルホース５３とを接続する。
【００５７】
中継ターミナル６７は、オイルホース５３の流路を複数に分岐させ、複数のオイルホース５３，５３…が接続される。そして、分岐されたオイルホース５３，５３…は、供給路収納部２４Ｂの内部に収容され、個々の油付けツール４６に向けてそれぞれ延びて接続される。
【００５８】
このような構成によって、本体部２１側に配された加工油供給源５６から供給された加工油は、ケーブルキャリア６１，６１内を通るオイルホース５３を介してダイテーブル２４側に誘導され、供給路収納部２４Ｂに形成された中継ターミナル６７に入力される。そして、加工油は、この中継ターミナル６７で分岐して供給路収納部２４Ｂの内部に収容され油付けツール４６に延びるオイルホース５３を介して、個々の油付けツール４６に供給される。
【００５９】
なお、本体部２１側に配された電源５５から供給された電力は、ケーブルキャリア６１，６１内を通る電線５２を介してダイテーブル２４側に誘導され、供給路収納部２４Ｂの内部に収容された電線５２を介して回転加工ツール４９に供給される。こうした電線５２は、複数の電圧に対応した複数種の電線５２を設けることができる。
【００６０】
以上のような構成の本発明の缶成形装置の作用を説明する。
本発明の缶成形装置２０では、本体部２１とダイテーブル２４との間に、供給路５０を収容するケーブルキャリア６１，６１が架設されている。このケーブルキャリア６１，６１は、一端側が本体側トレイ６２，６２に固定され、他端側がダイテーブル側トレイ６３，６３に固定されている。そして、供給路５０は、ケーブルキャリア６１，６１の他端側からダイテーブル２４の供給路収納部２４Ｂに向けて延びている。
【００６１】
このような構成によって、ケーブルキャリア６１，６１の他端側はダイテーブル２４とともに往復動するため、ケーブルキャリア６１，６１の他端側からダイテーブル２４の供給路収納部２４Ｂに向けて延びる供給路５０が、ダイテーブル２４の往復動によって大きく揺動し、ダイテーブル２４との間で擦れによる摩耗や破損を引き起こす虞が無い。よって、供給路５０を成すエアホース５１からの空気漏れや、オイルホース５３からのオイル漏れ、電線５２の漏電などを確実に防止することができる。また、供給路５０の寿命を長くして、メンテナンスコストを低減することができる。
【００６２】
また、本発明の缶成形装置２０では、ダイテーブル２４に供給路５０を収納する供給路収納部２４Ｂを設け、また、この供給路収納部２４Ｂに供給路５０どうしを接続する中継ターミナル６６ａ，６６ｂ，６７ａ，６７を形成することによって、ダイテーブル２４側で分岐する複数の供給路５０，５０…を整然と引き回すことができ、複数の供給路５０，５０…のメンテナンスを容易にすることができる。
【００６３】
また、ダイテーブル２４側の複数の供給路５０，５０…を供給路収納部２４Ｂに収納することにより、ダイテーブル２４の往復動による供給路５０，５０どうしの擦れや脱落を防止し、供給路５０を成すエアホース５１からの空気漏れや、オイルホース５３からのオイル漏れ、電線５２の漏電などを確実に防止することができる。
【００６４】
また、供給路収納部２４Ｂを例えば八角形など多角形に形成することによって、供給路収納部２４Ｂの周面を平坦な外側面にすることができる。これによって、供給路収納部２４Ｂの外面に露出するように、中継ターミナル６６ａ，６６ｂ，６７を容易に取り付けることが可能になる。
【００６５】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形例は、発明の範囲や要旨に含まれると同様に、特許請求の範囲に記載された発明とその均等の範囲に含まれるものである。
【００６６】
例えば、上述した本実施形態では、供給路の一例として、エアホース、電線、オイルホース、あるいは油圧ホースを挙げたが、供給路の種類はこれに限定されるものでは無く、ダイテーブルに配列された加工具に供給される気体、液体、動力源などを供給するための搬送路であればよい。
【００６７】
また、上述した本実施形態では、ケーブルキャリアとして、断面が四角形の屈曲自在な中空管を用いているが、これ以外にも、例えば、断面円形の蛇腹管などをケーブルキャリアとして用いることもでき、その形状が限定されるものでは無い。
【符号の説明】
【００６８】
１０…缶体（ボトル缶）
２０…缶成形装置（ネッキング加工装置）
２１…本体部
２３…ターンテーブル
２４…ダイテーブル
２４Ａ…テーブル本体
２４Ｂ…供給路収納部（収納部）
４０…成形具
５０…供給路
５１…エアホース
５２…電線
５３…オイルホース
６１…ケーブルキャリア
６６ａ，６６ｂ，６７…中継ターミナル
【図１】
2018089684.tif 000003
【図２】
2018089684.tif 000004
【図３】
2018089684.tif 000005
【図４】
2018089684.tif 000006
【図５】
2018089684.tif 000007
【図６】
2018089684.tif 000008